(57)【要約】【課題】簡潔な構成で再ロックを防止する。【解決手段】防火扉に取り付けられたフック６００を係止する防火扉の係止装置は、フック６００を係止するラッチ部材（ラッチ板１３０）と、ラッチ板１３０によるフック６００の係止状態を解除するソレノイド２３０と、ソレノイド２３０が作動してラッチ板１３０によるフック６００の係止状態が解除されたときにソレノイド２３０の作動状態を保持させる作動状態保持位置に移動し、解除操作がなされたときに上記保持状態を解除する作動状態解除位置に移動する作動状態保持部材（再ロックセットレバー７１０）とを備える。【選択図】図２
2017137727.tif 000002
【特許請求の範囲】
【請求項１】
防火扉に取り付けられたフックを係止する防火扉の係止装置であって、
上記フックを係止するラッチ部材と、
上記ラッチ部材によるフックの係止状態を解除するソレノイドと、
上記ソレノイドが作動して上記ラッチ部材によるフックの係止状態が解除されたときに、上記ソレノイドの作動状態を保持させる作動状態保持位置に移動するとともに、解除操作がなされたときに、上記保持状態を解除する作動状態解除位置に移動する作動状態保持部材と、
を備えたことを特徴とする防火扉の係止装置。
【請求項２】
請求項１の防火扉の係止装置であって、
上記作動状態保持部材は、上記ソレノイドのプランジャの作動方向と垂直な方向、または上記作動方向の移動により、上記作動状態保持位置、および作動状態解除位置に移動するように構成されていることを特徴とする防火扉の係止装置。
【請求項３】
請求項１または請求項２の防火扉の係止装置であって、
上記作動状態保持部材は、上記ソレノイドのプランジャ、または上記プランジャの作動による作用がラッチ部材によるフックの係止状態を解除するために伝達される伝達部材に当接して、上記ソレノイドの作動状態を保持させるように構成されていることを特徴とする防火扉の係止装置。
【請求項４】
請求項３の防火扉の係止装置であって、
上記作動状態保持部材は、上記ソレノイドのプランジャ、または伝達部材に当接して、上記ソレノイドの作動状態を保持させる当接部と、上記当接部の当接状態を解除する操作部と、
を有することを特徴とする防火扉の係止装置。
【発明の詳細な説明】
【技術分野】
【０００１】
本発明は、ビル等の建造物に設置される防火扉を平常時は壁面に係止しておき、火災発生時に遠隔操作等によってその係止を解除し、防火扉を閉じるための防火扉の係止装置に関するものである。
【背景技術】
【０００２】
防火扉の係止装置は、防火扉に取り付けられたフックを係止して扉を開いた状態に保ち、電磁石に通電されて上記係止が解除されることにより、扉を閉じさせるようになっている。また、上記係止が一旦解除された後は、防火扉が再度開かれて係止装置に押し付けられても、再度フックの係止状態にならないように、いわゆる再ロック防止機構を備えたものが知られている（例えば、特許文献１参照。）。上記再ロック防止機構は、具体的には、フックを係止する捕捉片４６と、上記捕捉片４６をフックの係止状態に保つ制止片７０とを備え、一旦、プランジャ１１０が通電されると、スライドレバー９０を介して解除補助アーム１２０を回動させ、スライドレバー１３０の移動規制を解除することにより、コイルバネ１３５の付勢力によるスライドレバー１３０の移動によって上記制止片７０を移動させ、上記捕捉片４６が扉のフックの係止状態に保たれるのを阻止するようになっている。また、上記阻止状態は、操作レバー１５０の操作によって、スライドレバー１３０がコイルバネ１３５の付勢力に抗して移動させられるまで、維持されるようになっている。
【先行技術文献】
【特許文献】
【０００３】
【特許文献１】特開２０１０−１３３１４３号公報
【発明の概要】
【発明が解決しようとする課題】
【０００４】
しかしながら、上記のように制止片７０を移動させて、捕捉片４６が扉のフックの係止状態に保たれるのを阻止するためには、プランジャ１１０の動作を伝達する多くの部材を必要とし、構造が複雑となって製造コストが高くつくという問題点を有していた。
【０００５】
本発明は、上記の点に鑑み、簡潔な構成で、確実に再ロックを防止できるようにすることを目的としている。
【課題を解決するための手段】
【０００６】
本発明は、
防火扉に取り付けられたフックを係止する防火扉の係止装置であって、
上記フックを係止するラッチ部材と、
上記ラッチ部材によるフックの係止状態を解除するソレノイドと、
上記ソレノイドが作動して上記ラッチ部材によるフックの係止状態が解除されたときに、上記ソレノイドの作動状態を保持させる作動状態保持位置に移動するとともに、解除操作がなされたときに、上記保持状態を解除する作動状態解除位置に移動する作動状態保持部材と、
を備えたことを特徴とする。
【発明の効果】
【０００７】
本発明によれば、簡潔な構成で、確実に再ロックを防止できる。
【図面の簡単な説明】
【０００８】
【図１】防火扉の係止装置の要部の外観を示す斜視図である。
【図２】防火扉の係止装置の詳細な構成を示す分解斜視図である。
【図３】防火扉の係止装置の係止解除状態を示すソレノイド設置部３００の平面図である。
【図４】防火扉の係止装置の係止解除状態を示すラッチ機構部１００の平面図である。
【図５】防火扉の係止装置の係止状態を示すソレノイド設置部３００の平面図である。
【図６】防火扉の係止装置の係止状態を示すラッチ機構部１００の平面図である。
【図７】防火扉の係止装置のソレノイドの作動による係止解除状態を示すソレノイド設置部３００の平面図である。
【図８】防火扉の係止装置のソレノイドの作動による係止解除状態を示すラッチ機構部１００の平面図である。
【図９】防火扉の係止装置の手動による係止解除状態を示すソレノイド設置部３００の平面図である。
【図１０】再入防止機構の他の例を示す要部の斜視図である。
【図１１】再入防止機構のさらに他の例を示す要部の斜視図である。
【発明を実施するための形態】
【０００９】
以下、本発明の実施形態を図面に基づいて詳細に説明する。なお、以下の説明では、便宜上、上下左右、奥、手前、時計回り、および反時計回り方向については、特に断りがなければ、図１、図２に示す方向を示す。
【００１０】
（防火扉の係止装置の概略構造）
本実施形態の防火扉の係止装置は、図１に示すように、ラッチ機構部１００と、その上方に配置されたソレノイド設置部３００とを有している。ラッチ機構部１００は、ラッチ板１３０によって、フック６００を係止するようになっている。上記フック６００は、取付プレート６０１にフックピン６０２が取り付けられて成り、取付プレート６０１に形成された取付孔６０３に挿通されるねじによって防火扉に取り付けられる。ソレノイド設置部３００には、上記ラッチ板１３０によるフック６００の係止状態を解除するソレノイド２３０が設けられている。なお、通常は、上記ソレノイド設置部３００を覆うカバーが設けられるが、ここでは説明の簡素化のために省略している。
【００１１】
（防火扉の係止装置の詳細な構造）
ラッチ機構部１００、およびソレノイド設置部３００は、より詳しくは、図２に示すように構成されている。
【００１２】
ラッチ機構部１００は、ケース１１０内に、ラッチ板１３０（ラッチ部材）、ロックレバー１４０（ロック部材）、ロックレバー基部支持ヨーク１５０、リンクレバー１６０、および連結リンク１７０等が収容され、カバープレート１２１により覆われて構成されている。
【００１３】
ケース１１０は、底板１１１と側壁１１２とから形成されている。底板１１１、およびカバープレート１２１には、フックピン６０２を案内する案内溝１１１ａ・１２１ａが形成されている。底板１１１には、また、ラッチ板軸１１３、リンクレバー軸１１４、およびばね受けピン１１６が立設されている。底板１１１には、また、カバープレート１２１のねじ孔１２１ｂに螺合するカバープレート固定ねじ５１１が挿通される孔１１１ｂ、および後述するロックレバー基部ピン５２１をカバープレート１２１の長孔１２１ｃと共に摺動可能に案内する長孔１１１ｃが形成されている。
【００１４】
ラッチ板１３０は、フックピン６０２に当接して係止するフック受け溝１３２を有し、回転軸孔１３１に上記ラッチ板軸１１３が挿通されて回動自在に設けられるとともに、一端部がばね受けピン１１６に当接するねじりコイルばね１３５によって時計回りに付勢されている。このラッチ板１３０は、係合部１３３がロックレバー１４０の係合部１４２と係合することによって、フック６００を係止状態に保持するようになっている。
【００１５】
ロックレバー１４０とロックレバー基部支持ヨーク１５０とは、基部ピン孔１４１・１５１に挿通されるロックレバー基部ピン５２１によって相対的に回動自在に設けられると共に、上記ロックレバー基部ピン５２１が底板１１１およびカバープレート１２１の案内溝１１１ａ・１２１ａに案内されて、手前−奥方向に移動可能になっている。ロックレバー基部支持ヨーク１５０は、ケース１１０の側壁１１２に形成された座繰り孔１１１ｄ、およびロックレバー基部支持ヨーク１５０の調整ねじ挿通孔１５２、および圧縮コイルばね１５４（付勢部材）を通してカラー付ナット１５５に螺合される解除力調整ねじ１５３によって、上記ロックレバー基部ピン５２１の移動に要する力、すなわちフック６００の係止状態を手動で解除する力を調節できるようになっている。
【００１６】
より詳しくは、上記解除力調整ねじ１５３（付勢力調整ねじ）は、先端側部分に雄ねじ部１５３ａが形成される一方、頭部側部分には、断面四角形状の矩形断面部１５３ｂ（非円形断面部）が形成されている。矩形断面部１５３ｂは、ほぼコの字形状の押圧部材１５６における先端部付近の押圧部１５６ａによって挟持されることにより、解除力調整ねじ１５３を回転させて手動解除力を調整する際のクリック感を発生させるとともに、調整後には、解除力調整ねじ１５３の不用意な回転を防止して、手動解除力を安定させることが容易にできるようになっている。また、カラー付ナット１５５の上下部には凸部１５５ａが形成され、ロックレバー基部支持ヨーク１５０の案内溝１５０ａによって摺動自在に案内されるようになっている。上記のような凸部１５５ａおよび案内溝１５０ａは必須ではないが、これらを設ける場合には、ロックレバー基部支持ヨーク１５０と、圧縮コイルばね１５４とを予め組み合わせてアセンブリとして扱うことができるので、製造工程を簡素化することが容易になる。
【００１７】
ロックレバー１４０の基部ピン孔１４１と反対側の端部には、先端部ピン孔１４３が形成され、リンクレバー１６０、および連結リンク１７０（第１および第２のリンク、リンク組）が連結されている。より詳しくは、リンクレバー１６０は、一端側のピン孔１６１が、ケース１１０に立設されたリンクレバー軸１１４に回動自在に設けられている。リンクレバー１６０の他端側と、ロックレバー１４０の先端部側とは、これらを上下から挟む１対の連結リンク１７０と、これらに形成された先端部ピン孔１４３、ピン孔１７１・１７２・１６２、およびリンクピン５２２・５２３によって連結されて、リンク機構が構成されている。また、リンクレバー１６０は、ねじりコイルばね１６３によって反時計回りに付勢されている。上記リンク機構によって、図６に示すようにリンクレバー１６０と連結リンク１７０とがほぼ直線状に並んで配置されているときに、ラッチ板１３０とロックレバー１４０の係合部１３３・１４２が係合してフックピン６０２の係止状態が保たれる一方、図４、図８に示すようにリンクレバー１６０と連結リンク１７０とがくの字状に配置されているとき、および図９に示すようにリンクレバー１６０と連結リンク１７０とがほぼ直線状に並んで配置されるとともにロックレバー基部ピン５２１が長孔１１１ｃ・１２１ｃ内で奥方（同図における上方）に移動したときに、上記係止状態が解除されるようになっている。
【００１８】
上記リンクレバー１６０と連結リンク１７０の配置状態の遷移は、解除スライドプレート２１０（伝達部材）によって行われるようになっている。より詳しくは、解除スライドプレート２１０の水平切片２１５を介した解除駆動部２１６が、後に詳述するようにソレノイド２３０の作動により引張コイルばね５４２によって左方に付勢されると、リンクピン５２３を図６における左方に移動させるように駆動するようになっている。
【００１９】
カバープレート１２１上には、解除力セットスライドプレート１９０が、ガイド長孔１９１を通してカバープレート１２１に螺合される段付ガイドねじ５３１により左右方向に摺動可能に設けられている。この解除力セットスライドプレート１９０は、ばね受け切片１９２と、カバープレート１２１に設けられたばね受けピン１２１ｆとの間に掛け渡された引張コイルばね５４１によって右方向に付勢され、カバープレート１２１のセットピン挿通窓１２１ｄを介して上方に延びるラッチ板１３０のセットピン１３４がセットピン受け孔１９５の内周に当接して左方向に移動するようになっている。また、ばね受け切片１９２には、後述する解除スライドプレート２１０のばね受け切片２１３との間に引張コイルばね５４２が掛け渡され、解除スライドプレート２１０を左方に付勢するようになっている。
【００２０】
カバープレート１２１上には、また、マイクロスイッチ５６１（検出部）が取り付けられ、解除力セットスライドプレート１９０のマイクロスイッチ駆動切片１９４によってスイッチレバー５６１ａが押圧されるようになっている。ここで、マイクロスイッチ５６１が、カバープレート１２１によりラッチ板１３０等と隔たって設けられているので、案内溝１１１ａ・１２１ａ部分の開口部から進入するほこりやラッチ板１３０付近の油分などによる汚染を少なく抑えることが容易にでき、マイクロスイッチ５６１の動作不良を容易に抑制することができる。特に、ソレノイド２３０が、カバープレート１２１に形成されたセットピン挿通窓１２１ｄや解除駆動レバー挿通窓１２１ｅを覆うように配置される場合には、マイクロスイッチ５６１の動作不良を抑制する効果を一層高めることができる。
【００２１】
解除力セットスライドプレート１９０の上方には、プランジャ２３１を有するソレノイド２３０が設けられている。ソレノイド２３０の取付方法は特に限定されず、例えばケース１１０の奥側の側壁１１２をソレノイド設置部３００にまで立ち上げて、これに取り付けてもよいし、カバープレート１２１上に、スペーサ等を介して、解除力セットスライドプレート１９０が配置される隙間を空けて取り付けるなどしてもよい。上記ソレノイド２３０の手前側の側方には、解除スライドプレート２１０が、スライドプレート部２１１に形成されたガイド長孔２１２を通してソレノイド２３０の側面に螺合される段付ガイドねじ５５１により、左右方向に摺動可能に設けられている。解除スライドプレート２１０の一端部には、ソレノイド当接部２１４が設けられ、上記引張コイルばね５４２の付勢力によってソレノイド２３０のプランジャ２３１に押しつけられるようになっている。解除スライドプレート２１０の下方側には、水平切片２１５を介して垂下する解除駆動部２１６が形成され、ソレノイド２３０が作動したときに、カバープレート１２１の解除駆動レバー挿通窓１２１ｅを介してセットピン１３４の上部を左方に駆動し得るようになっている。
【００２２】
上記解除スライドプレート２１０の右側には、圧縮コイルばね７１３によって手前方向に付勢された再ロックセットレバー７１０（作動状態保持部材）が設けられている。上記再ロックセットレバー７１０は、係止部７１１（当接部）と操作部７１２とを有し、操作部７１２が操作されて奥方に押し込まれたときには（図３、図５）、係止部７１１が解除スライドプレート２１０におけるソレノイド当接部２１４よりも奥方に位置し、解除スライドプレート２１０の右方への移動、すなわちソレノイド２３０のプランジャ２３１が突出した位置に移動し得るようになっている。一方、ソレノイド２３０が作動して、一旦、プランジャ２３１および解除スライドプレート２１０が左方に移動すると（図７）、係止部７１１が解除スライドプレート２１０のソレノイド当接部２１４に当接して、解除スライドプレート２１０の右方への移動が阻止されるようになっている。
【００２３】
ソレノイド２３０は、種々のタイプのものを用いることができ、通電によって発生する磁界によってプランジャが引き込まれるタイプのものも適用可能であるが、例えばキープソレノイドと呼ばれるタイプのソレノイドが好適に用いられる。この種のソレノイドは、プランジャと一体的に移動する吸着部が、プランジャが突出した位置にあるときにマグネットに密着した状態となり、コイルへの通電により上記マグネットと逆の磁界を発生させて、別途設けられるばねの付勢力により、プランジャが押し込まれるようになっている。具体的なソレノイド２３０の諸元としては、例えば、評定規格でDC１８〜３２V、定格で２４V、コイルの抵抗が７００Ω、消費電流が３４ｍＡのものなどが用いられる。
【００２４】
（防火扉の係止装置の動作−解除状態から係止状態）
防火扉の係止装置が解除状態のときには、図３、図４に示すように、ラッチ板１３０はねじりコイルばね１３５の付勢力によって時計回りに回動した位置にある。このとき、リンクレバー１６０と連結リンク１７０とは、互いになす角度が小さくなった、くの字型になっている。また、解除力セットスライドプレート１９０は、引張コイルばね５４１の付勢力によって、右方位置に位置している。
【００２５】
上記のような状態で、同図に矢印Ａで示すようにフック６００のフックピン６０２が案内溝１１１ａ・１２１ａに向けて進入してくると、ラッチ板１３０は、フック受け溝１３２の一方側がフックピン６０２によって押しつけられ、反時計回りに回動する。フックピン６０２が十分に進入すると、図５、図６に示すように、ロックレバー１４０の係合部１４２がラッチ板１３０の係合部１３３に係合し、ラッチ板１３０の時計回り（解除方向）の回動が規制されてフック６００が係止される係止状態となる。
【００２６】
このとき、ロックレバー１４０の先端部（先端部ピン孔１４３側）は、手前側（図６における下方側）に移動し、リンクレバー１６０と連結リンク１７０とは、ほぼ直線状に並んで配置される状態になる。
【００２７】
また、解除力セットスライドプレート１９０は、ラッチ板１３０のセットピン１３４の回転移動に伴って、セットピン受け孔１９５の内周縁が押され、引張コイルばね５４１の付勢力に抗して左方に移動する。そこで、解除力セットスライドプレート１９０と解除スライドプレート２１０のばね受け切片１９３・２１３に掛け渡された引張コイルばね５４２の付勢力が増大し、この増大した付勢力によって解除スライドプレート２１０のソレノイド当接部２１４がソレノイド２３０のプランジャ２３１に押しつけられる。
【００２８】
また、このとき、解除力セットスライドプレート１９０のマイクロスイッチ駆動切片１９４によって、マイクロスイッチ５６１のスイッチレバー５６１ａが押圧される。
【００２９】
（防火扉の係止装置の動作−ソレノイドによる係止状態から解除状態）
次に、ソレノイド２３０が通電されて作動すると、図７、図８に示すように、プランジャ２３１が引き込まれ、解除スライドプレート２１０が左方に移動する。より詳しくは、解除スライドプレート２１０は、引張コイルばね５４２によって左方に付勢されているので、ソレノイド２３０への通電により、プランジャ２３１を突出位置に保持するマグネットの磁界が打ち消されることによって、解除スライドプレート２１０が左方に移動する。具体的には、例えば無通電時のマグネットの磁界によるプランジャ２３１の突出位置への吸着力が１．７ｋｇｆ、引張コイルばね５４２のセット時（６ｍｍ伸張状態）の付勢力が１ｋｇｆとすると、ソレノイド２３０は、差し引き７００ｇｆの付勢力で解除スライドプレート２１０を係止していることになる。そして、例えば２４Ｖの電圧がソレノイド２３０に通電されてマグネットの吸着力が完全に相殺されたとすると、解除スライドプレート２１０は引張コイルばね５４２の１ｋｇの付勢力で左方に移動させられる。ここで、例えば通電電圧が１４Ｖのときにマグネットの残留磁気による吸着力が４００ｇｆ、１８Ｖのときにはさらにそれよりも小さいとすると、これらの電圧でも余裕を持ってプランジャを解放できることになる。なお、この種のソレノイド２３０では、マグネットに密着している吸着部が通電によって一旦マグネットから離れると、吸着力が急激に低下するので引張コイルばね５４２の付勢力が支配的となる。
【００３０】
解除スライドプレート２１０が左方に移動すると、解除スライドプレート２１０の解除駆動部２１６はリンクピン５２３を左方に移動させる。これにより、ラッチ板１３０とロックレバー１４０との係合部１３３・１４２の係合が解除され、フック６００の係止状態が解除され、防火扉が閉塞され得る状態になる。
【００３１】
また、上記解除スライドプレート２１０の左方への移動に伴って、再ロックセットレバー７１０が圧縮コイルばね７１３の付勢力によって手前方向に移動し、係止部７１１が解除スライドプレート２１０のソレノイド当接部２１４に当接する。そこで、解除スライドプレート２１０の右方への移動が阻止されるので、リンクレバー１６０と連結リンク１７０とはくの字型の状態に保たれ、フックピン６０２が再度、案内溝１１１ａ・１２１ａに向けて進入しても、ラッチ板１３０とロックレバー１４０とは係合しない再ロック防止状態となる。
【００３２】
また、このとき、解除力セットスライドプレート１９０のマイクロスイッチ駆動切片１９４によるマイクロスイッチ５６１のスイッチレバー５６１ａの押圧が解除される。
【００３３】
（防火扉の係止装置の動作−係止状態から手動解除）
前記、および図５、図６に示したように、ロックレバー１４０の係合部１４２がラッチ板１３０の係合部１３３に係合し、ラッチ板１３０の時計回り（解除方向）の回動が規制されてフック６００が係止される係止状態で、人手によって、防火扉がフック６００のフックピン６０２を引抜く方向に強く引かれると、図９および次のようにして係止状態が解除される。すなわち、フックピン６０２を引抜く方向の力がラッチ板１３０に作用すると、ラッチ板１３０は時計回りに回動しようとし、ラッチ板１３０とロックレバー１４０の係合部１３３・１４２のかみ合いによって、ロックレバー１４０の基部を奥方向に押す力が作用する。この力が所定以上になると、圧縮コイルばね１５４によるロックレバー基部支持ヨーク１５０を手前方向に付勢する付勢力に抗して、ロックレバー基部ピン５２１が奥方向に移動する。そこで、ラッチ板１３０とロックレバー１４０の係合部１３３・１４２の係合が解除され、ラッチ板１３０が時計回りに回って、フック６００のフックピン６０２の係止状態が解除され、防火扉を閉じることができるようになる。
【００３４】
上記のように、再ロック防止機構が設けられることにより、ソレノイド２３０に一旦通電されて解除状態になった後、そのままでは防火扉を開いてフック６００が押しつけられても係止状態にならないようにすることができる。なお、再ロック防止状態であるかどうかを検出するためのマイクロスイッチ等がマイクロスイッチ５６１に重ねて設けられるなどしてもよい。
【００３５】
また、解除力調整ねじ１５３の頭部側部分に断面四角形状の矩形断面部１５３ｂが形成され、押圧部材１５６における先端部付近の押圧部１５６ａによって挟持されることによって、解除力調整ねじ１５３を回転させて手動解除力を調整する際のクリック感を発生させるとともに、調整後には、解除力調整ねじ１５３の不用意な回転を防止して、手動解除力を安定させることが容易にできる。特に、圧縮コイルばね１５４による付勢力が小さく設定される場合でも、クリック感や回り止めの作用に与える影響は回避することができる。また、解除力調整ねじ１５３の頭部の座面やケース１１０の座繰り孔１１１ｄに特殊な凹凸加工を施したりする必要もない。なお、解除力調整ねじ１５３における、押圧部材１５６によって挟持される部分の断面形状は、矩形状に限らず、クリックを生じさせようとする回転角度に応じて設定すればよい。また、雄ねじ部１５３ａの外径が矩形断面部１５３ｂの外接円の直径よりも大きく設定される場合には、押圧部材１５６の押圧部１５６ａが解除力調整ねじ１５３の抜け止めとしても作用するので、解除力調整作業などの作業性を向上させることも容易になる。
【００３６】
（その他の事項）
なお、ソレノイド２３０のプランジャ２３１や解除スライドプレート２１０がソレノイド２３０の作動状態から復帰するのを防止するためには、上記のように解除スライドプレート２１０の移動を規制する再ロックセットレバー７１０に限らず、例えば図１０に示すように、ソレノイド２３０のプランジャ２３１の突出等の移動を係止部７２１によって阻止し、その阻止状態を操作部７２２の押し込み操作によって解除し得る再ロックセットレバー７２０を用いるようにしてもよい。また、例えば図１０に示すように、係止部７３１と駆動レバー部７３２とを有し、軸孔７３３に挿通される図示しない回転軸回りに回転可能に設けられた再ロックセットレバー７３０と、上記再ロックセットレバー７３０の回転を操作部７３５の操作による当接部７３４の移動によって阻止、許容する操作レバー７３３を用いるなどしてもよい。
【００３７】
また、ラッチ板１３０とロックレバー１４０の係合部１３３・１４２を係合させるようにするための付勢力は、上記のようにリンクレバー１６０を反時計回りに回動させるよう付勢するねじりコイルばね１６３に限らず、ロックレバー１４０を時計回りに回動させるよう付勢するばねを設けるようにしてもよく、さらにこれらを組み合わせて用いるようにしてもよい。
【００３８】
また、各部材の当接部の少なくとも一部は、摩擦接触に変えて、ローラを介して転がり接触するようにしてもよい。
【符号の説明】
【００３９】
１００      ラッチ機構部
１１０      ケース
１１１      底板
１１１ａ    案内溝
１１１ｂ    孔
１１１ｃ    長孔
１１１ｄ    座繰り孔
１１２      側壁
１１３      ラッチ板軸
１１４      リンクレバー軸
１１６      ばね受けピン
１２１      カバープレート
１２１ａ    案内溝
１２１ｂ    ねじ孔
１２１ｃ    長孔
１２１ｄ    セットピン挿通窓
１２１ｅ    解除駆動レバー挿通窓
１２１ｆ    ばね受けピン
１３０      ラッチ板
１３１      回転軸孔
１３２      フック受け溝
１３３      係合部
１３４      セットピン
１３５      ねじりコイルばね
１４０      ロックレバー
１４１      基部ピン孔
１４２      係合部
１４３      先端部ピン孔
１５０      ロックレバー基部支持ヨーク
１５０ａ    案内溝
１５１      基部ピン孔
１５２      調整ねじ挿通孔
１５３      解除力調整ねじ
１５３ａ    雄ねじ部
１５３ｂ    矩形断面部
１５４      圧縮コイルばね
１５５      カラー付ナット
１５５ａ    凸部
１５６      押圧部材
１５６ａ    押圧部
１６０      リンクレバー
１６１      ピン孔
１６２      ピン孔
１６３      ねじりコイルばね
１７０      連結リンク
１７１      ピン孔
１７２      ピン孔
１９０      解除力セットスライドプレート
１９１      ガイド長孔
１９２      ばね受け切片
１９３      ばね受け切片
１９４      マイクロスイッチ駆動切片
１９５      セットピン受け孔
２１０      解除スライドプレート
２１１      スライドプレート部
２１２      ガイド長孔
２１３      ばね受け切片
２１４      ソレノイド当接部
２１５      水平切片
２１６      解除駆動部
２３０      ソレノイド
２３１      プランジャ
３００      ソレノイド設置部
５１１      カバープレート固定ねじ
５２１      ロックレバー基部ピン
５２２      リンクピン
５２３      リンクピン
５３１      段付ガイドねじ
５４１      引張コイルばね
５４２      引張コイルばね
５５１      段付ガイドねじ
５６１      マイクロスイッチ
５６１ａ    スイッチレバー
６００      フック
６０１      取付プレート
６０２      フックピン
６０３      取付孔
７１０      再ロックセットレバー
７１１      係止部
７１２      操作部
７１３      圧縮コイルばね
【図１】
2017137727.tif 000003
【図２】
2017137727.tif 000004
【図３】
2017137727.tif 000005
【図４】
2017137727.tif 000006
【図５】
2017137727.tif 000007
【図６】
2017137727.tif 000008
【図７】
2017137727.tif 000009
【図８】
2017137727.tif 000010
【図９】
2017137727.tif 000011
【図１０】
2017137727.tif 000012
【図１１】
2017137727.tif 000013